(57)【特許請求の範囲】
【請求項１】
浴槽の下方に浴槽パンが設けられ、浴槽パンの側方に洗い場が設けられ、浴槽の排水部と浴槽パンの排水部とが管により連通され、浴槽パンの排水部と洗い場の排水部とが管により連通され、浴槽パンの排水部には、フロートを備えた逆流防止装置が設けられ、浴槽の排水時に浴槽パンの排水部を介して浴槽パンへの逆流を防止できるようになっているユニットバスの排水装置において、フロートは比重が１未満の芯材の表面がシリコンゴム等の軟質材からなる表面材で被覆されていることを特徴とするユニットバスの排水装置。
【発明の詳細な説明】
【０００１】
【発明の属する技術分野】
本発明は、ユニットバスの排水装置に関するものである。
【０００２】
【従来の技術】
従来、例えば、特開平３−２６０２３０号公報等に記載されているように、浴槽の下方に浴槽パンが設けられ、浴槽パンの側方に洗い場が設けられ、浴槽の排水部と浴槽パンの排水部とが管により連通され、浴槽パンの排水部と洗い場の排水部とが管により連通され、浴槽パンの排水部には、フロートを備えた逆流防止装置が設けられ、浴槽の排水時に浴槽パンの排水部を介して浴槽パンへの逆流を防止できるようになっているユニットバスの排水装置が知られている。
【０００３】
【発明が解決しようとする課題】
しかしながら、このようにユニットバスの排水装置においては、フロートは比重が１以上の単一素材の弾性体により構成されているので、このようなフロートを押し上げて浴槽パンへの逆流を防止するには、フロートを押し上げる一定以上の水圧が必要であり、例えば、洗面器の使用水を洗い場より排水させるときや、一定水量以下のシャワーを使用する場合には、フロートを押し上げる力が作用しないために逆流を防止することができない。又、浴槽排水時にも浴槽内の水量が少ないときもフロートを押し上げる力が作用しないために逆流を防止することができない。
【０００４】
本発明は、従来のユニットバスの排水装置における、このような問題点に着目してなされたものであり、その目的とするところは、上記の問題を解決し、浴槽パンへの逆流を確実に防止することができるユニットバスの排水装置を提供することにある。
【０００５】
【課題を解決するための手段】
上記目的を達成するために、本発明に係るユニットバスの排水装置は、
浴槽の下方に浴槽パンが設けられ、浴槽パンの側方に洗い場が設けられ、浴槽の排水部と浴槽パンの排水部とが管により連通され、浴槽パンの排水部と洗い場の排水部とが管により連通され、浴槽パンの排水部には、フロートを備えた逆流防止装置が設けられ、浴槽の排水時に浴槽パンの排水部を介して浴槽パンへの逆流を防止できるようになっているユニットバスの排水装置において、フロートは比重が１未満の芯材の表面がシリコンゴム等の軟質材からなる表面材で被覆されていることを特徴とするものである。
【０００６】
本発明において、比重が１未満の芯材の材質としては、従来からフロートの材質として使用されているものがそのまま使用できるものであって、特に限定されるものではなく、例えば、ポリエチレン、ポリプロピレン、ポリウレタン等の発泡体又は中空体が好適に使用できる。
【０００７】
又、軟質材の材質としては、耐水性に富み、排水口に密接できるものであればよいものであって、特に限定されるものではなく、例えば、シリコンゴム等の合成ゴム、軟質塩化ビニル樹脂等が好適に使用できる。
【０００８】
〔作用〕
本発明に係るユニットバスの排水装置においては、フロートは比重が１未満の芯材を使用するものであるから、浮力が大きく弱い押し上げ力によっても確実に排水口を閉塞し、芯材の表面がシリコンゴム等の軟質材からなる表面材で被覆されているので、排水口に密接し、浴槽パンへの逆流を確実に防止することができる。
【０００９】
【発明の実施の形態】
次に、本発明の実施の形態を図面を参照しながら説明する。
図１は本発明に係るユニットバスの排水装置の一例を示す断面図、図２は図１に示す本発明に係るユニットバスの排水装置の要部拡大断面図である。
【００１０】
図１〜２において、１はＦＲＰ製浴槽、２は浴槽１の下方に設けられたＦＲＰ製浴槽パン、３は浴槽パン２の側方に設けられたＦＲＰ製洗い場である。浴槽１の排水部１１と浴槽パン２の排水部２１とが排水管１２により連通され、浴槽パン２の排水部２１には逆流防止装置２３が設けられ、洗い場３の排水部３１にはトラップ３２が設けられ、逆流防止装置２３とトラップ３２とは排水管２２により連通されている。
【００１１】
逆流防止装置２３の本体２３１内にはフロート受け支持筒２３２が設けられ、フロート受け支持筒２３２の雄ねじ２３２１が本体２３１の雌ねじ２３１１にねじ込まれることにより本体２３１にフロート受け支持筒２３２が取付けられている。
【００１２】
２３３は本体２３１のフランジ２３１２とフロート受け支持筒２３２のフランジ２３２２との間に挿入されたＵパッキンであり、Ｕパッキン２３３の開口内には浴槽パン２の底壁が挿入されている。
【００１３】
２３４はフロート受け支持筒２３２の内側にパッキン２３６を介して設けられたフロート受けであり、フロート受け２３４の下方にはフロート受け板２３４１が設けられ、上方には排水口２３４２が穿設され、排水口２３４２により浴槽パン２に溜まった水が排水されるようになっている。フロート受け２３４の筒部２３４３には排水管１２が挿入されるようになっている。
【００１４】
２３５は環状フロートであり、環状フロート２３５はフロート受け２３４に支持され、環状フロート２３５は図３に拡大して示すように環状の比重１未満のポリエチレン発泡体からなる芯材２３５１の表面がシリコンゴム製の軟質材２３５２により被覆されて構成されている。環状フロート２３５の外径Ｄは７８ｍｍであり、内径ｄは４６．５ｍｍであり、厚みｔは６ｍｍである。
【００１５】
図４は環状フロートの他の例を示す断面図であり、図４に示す環状フロート２３５ａにおいては、環状のポリエチレン中空体からなる芯材２３５１ａの表面がシリコンゴム製の軟質材２３５２により被覆されて構成されている。
【００１６】
トラップ３２の下半部本体３２１には上半部本体３２２が接合され、上半部本体３２２に設けられた雌ねじ３２２１には簀子受け３２３の雄ねじ３２３１がねじ込まれることにより上半部本体３２２に簀子受け３２３が取付けられている。簀子受け３２３のフランジ３２３２には円筒３２４の上端フランジ３２４１が係止され、円筒３２４の下端部は下半部本体３２１の筒部３２１１内に挿入されている。簀子受け３２３には簀子３２５が載置されている。簀子受け３２３のフランジ３２３３と上半部本体３２２との間にＵパッキン３２６が挿入され、Ｕパッキン３２６の開口部には洗い場３の底壁が挿入されている。
【００１７】
図１、２に示す本発明に係るユニットバスの排水装置においては、フロート受け２３４に環状フロート２３５が支持され、環状フロート２３５は図３に拡大して示すように比重１未満の環状のポリエチレン発泡体からなる芯材２３５１の表面がシリコンゴム製の軟質材２３５２により被覆されているので、浴槽１の排水管１２からの僅かな水量によっても、洗い場３の排水部３１からの僅かな水量によってもフロート２３５が浮上して排水口２３４２を閉塞し、浴槽パンへの逆流を確実に防止することができる。
【００１８】
以上、本発明の実施例を図により説明したが、本発明の具体的な構成は図示の実施例に限定されることはなく、本発明の要旨を逸脱しない範囲の設計変更は本発明に含まれる。
【００１９】
【発明の効果】
本発明に係るユニットバスの排水装置においては、フロートは比重が１未満の芯材を使用するものであるから、浮力が大きく弱い押し上げ力によっても確実に排水口を閉塞し、芯材の表面がシリコンゴム等の軟質材からなる表面材で被覆されているので、排水口に密接し、浴槽パンへの逆流を確実に防止することができる。
【図面の簡単な説明】
【図１】本発明に係るユニットバスの排水装置の一例を示す断面図。
【図２】図１に示すユニットバスの排水装置の要部拡大断面図。
【図３】フロートの拡大断面図。
【図４】フロートの他の一例を示す拡大断面図。
【符号の説明】
１        浴槽
１１      浴槽の排水部
１２      排水管
２        浴槽パン
２１      排水部
２２      排水管
２３      逆流防止装置
２３５    フロート
３        洗い場
３１      排水部
３２      タラップ
【図１】
0004199388.tif 000002
【図２】
0004199388.tif 000003
【図３】
0004199388.tif 000004
【図４】
0004199388.tif 000005